(57)【要約】【課題】送風ダクトや吸込ダクトを分岐し、複数の室内を同時に冷暖房する際に、ダクト長やダクトの曲がりそして分岐数に関係なく、吹出ユニットによる各居室の風量、湿度にバラツキが発生することのない空気調和機を提供することを目的とする。【解決手段】室外機１０１と、室外機１０１と冷媒配管１０２により接続されている熱交換器１０４、送風ファン１０６を備えた室内機１０３と、室内機１０３と送風ダクト１０７を介して居室に吹出す吹出ユニット１０９を接続し、前記室内機１０３と吸込ダクト１１０を介して室内１１２の空気を吸込む吸込ユニット１０８を接続し、前記吹出ユニット１０９に室内１１２を加湿する加湿ユニット２を備える構成とする。【選択図】図１
2007078250.tif 000002
【特許請求の範囲】
【請求項１】
室外機と、前記室外機と冷媒配管により接続されている熱交換器、送風ファンを備えた室内機と、前記室内機と送風ダクトを介して居室に吹出す吹出ユニットを接続し、前記室内機と吸込ダクトを介して居室の空気を吸込む吸込ユニットを接続し、前記吹出ユニットに居室を加湿する加湿器を備えたことを特徴とする空気調和機。
【請求項２】
吸込ユニットに設けた湿度検出手段により加湿量を調整することを特徴とする請求項１記載の空気調和機。
【請求項３】
吹出ユニットは屋外に接続された外気取込口と外気導入ダクトで接続し、前記外気取込口に備えた外気湿度検出手段により外気湿度が所定値以上である場合、外気を導入することを特徴とする請求項１記載の空気調和機。
【請求項４】
居室内の空気を攪拌する空気攪拌手段を備え、前記空気攪拌手段は居室内の加湿空気を均一にすべく室内機の運転に連動して動作することを特徴とする請求項１記載の空気調和機。
【請求項５】
居室内の人を検知する人感検知手段を備え、人の有無により加湿量を調整する加湿量調整手段を備えたことを特徴とする請求項１記載の空気調和機。
【請求項６】
居室内の人を検知する人感検知手段を設けて、人の有無により外気導入量を調整する外気導入量調整手段を備えたことを特徴とする請求項３記載の空気調和機。
【請求項７】
吹出ユニットの吹出風量を吸込ユニットの吸込風量より大きくなるように外気導入量と吸込風量の比率を制御する比率制御手段を備えたことを特徴とする請求項３記載の空気調和機。
【請求項８】
吸込ユニットに設けた湿度検出手段により検出した居室内の湿度と、外気取込口に備えた外気湿度検出手段により検出した外気湿度により加湿量を調整する加湿量調整手段を備えたことを特徴とする請求項３記載の空気調和機。
【請求項９】
加湿器による加湿量を居室内の湿度の変化量に応じて制限する加湿量調整制限手段を備えたことを特徴とする請求項２記載の空気調和機。
【請求項１０】
吹出ユニットは搬送ダクトにより浴室加湿空気搬送手段と接続し、浴室加湿空気搬送手段に設けた浴室湿度センサーにより浴室の湿度が所定値以上である場合、浴室の加湿空気を居室に搬送することを特徴とする請求項１記載の空気調和機。
【請求項１１】
居室内の湿度が所定値以上になった場合、吹出ユニットの吹出風量を吸込ユニットの吸込風量より小さくするようにすることを特徴とする請求項２記載の空気調和機。
【請求項１２】
居室内の湿度が所定値より低い場合、分岐制御手段は居室内への搬送を優先して風路を切り換えるように制御することを特徴とする請求項１０記載の空気調和機。
【発明の詳細な説明】
【技術分野】
【０００１】
本発明は、室内機内部に使用している加湿器を室内機から無くし、吹出ユニットに加湿器を設ける冷暖房ユニットに関する。
【背景技術】
【０００２】
従来、この種の空気調和機は、室内機本体に加湿器を設けたものが知られている（例えば、特許文献１参照）。
【０００３】
以下、その空気調和機について図１８および図１９を参照しながら説明する。
【０００４】
図１８に示すように、室外機１０１は冷媒配管１０２により室内機１０３に接続され、室内機１０３内部には熱交換器１０４と加湿器１０５と送風ファン１０６を備え、熱交換器１０４と加湿器１０５を通った冷風または暖風は、送風ダクト１０７へと送られる。居室からの空気は吸込ユニット１０８から吸込まれることになる。また、吹出ユニット１０９は、室内機１０３からの空気を吹出し、吸込ユニット１０８から吸込ダクト１１０を介して室内機１０３に送られ、冷風あるいは暖風は循環される。
【０００５】
また、図１９に示すように、送風ダクト１０７や吸込ダクト１１０を分岐して複数の室内を同時に冷房または暖房することが多く、リモコン１１１の設置している室内がリモコン１１１の設定温度となるように室内機１０３が制御しており、室内１１２に対して吹出ユニット１０９と吸込ユニット１０８が一対以上備えられている空気調和機が知られている。
【特許文献１】特開平０５−２４８６８９号公報
【発明の開示】
【発明が解決しようとする課題】
【０００６】
このような従来の空気調和機では、送風ダクトや吸込ダクトを分岐し、複数の室内を同時に冷暖房することがあり、ダクト長やダクトの曲がりそして分岐数により、吹出ユニットからの風量が各居室で異なり、湿度にバラツキが発生するという課題があり、安定した加湿制御が要求されている。
【０００７】
本発明は、このような従来の課題を解決するものであり、各居室の加湿空気を居室毎に制御させ快適環境を創り出すことができる空気調和機を提供することを目的としている。
【０００８】
また、従来の空気調和機では、各居室を湿度が安定しない課題があり、居室毎の湿度を一定にすることが要求されている。
【０００９】
本発明は、このような従来の課題を解決するものであり、湿度センサにより室内の湿度を検知することで加湿量を調整し、室内の湿度のバラツキをなくし安定した加湿をすることができる空気調和機を提供することを目的としている。
【００１０】
また、従来の空気調和機では、ただ加湿するだけではなく、室外の加湿空気を有効利用することが要求されている。
【００１１】
本発明は、このような従来の課題を解決するものであり、湿度センサにより室外空気の湿度を検出し、室外の加湿空気により居室を加湿することができる空気調和機を提供することを目的としている。
【００１２】
また、従来の空気調和機では、室内において湿度のバラツキがあり、そのバラツキをなくし湿度を均一にすることが要求されている。
【００１３】
本発明は、このような従来の課題を解決するものであり、空気攪拌手段により室内空気を攪拌することで、湿度を均一にすることができる空気調和機を提供することを目的としている。
【００１４】
また、従来の空気調和機では、室内の在室している人を検知し、在室人数に応じた加湿を行うことで、快適環境を創り出すことが要求されている。
【００１５】
本発明は、このような従来の課題を解決するものであり、在室人数により、加湿量を制御することができる空気調和機を提供することを目的としている。
【００１６】
また、従来の空気調和機では、室内の人の有無に応じて外気導入量を取り入れる必要があるため、別途換気装置を設置することが要求されている。
【００１７】
本発明は、このような従来の課題を解決するものであり、室内の人の有無に応じて外気導入量を制御することができる空気調和機を提供することを目的としている。
【００１８】
また、従来の空気調和機では、吹出風量を吸込風量より大きくすることで、室内を正圧となるようにして、居室のガラリや窓の隙間風などによる加湿制御の外乱となる要因を減らし、より安定した加湿制御を行なうことが要求されている。
【００１９】
本発明は、このような従来の課題を解決するものであり、吹出風量を吸込風量より大きくなるように制御して、加湿制御を安定化することができる空気調和機を提供することを目的としている。
【００２０】
また、従来の空気調和機では、加湿ユニットによる加湿制御では、加湿時に常に水と電気を活用していたが、室外の加湿空気を活用することで安定的な加湿制御を実現しつつ、省エネを図ることが要求されている。
【００２１】
本発明は、このような従来の課題を解決するものであり、室内の湿度と室外の湿度を比較して室外の加湿空気を活用する場合は、加湿ユニットの運転を停止することで、加湿ユニットの消費電力、水使用量を削減できる空気調和機を提供することを目的としている。
【００２２】
また、従来の空気調和機では、居室の広さに応じた加湿制御、すなわち空気調和機による加湿量に対する湿度応答性に応じて加湿量を制御することが要求されている。
【００２３】
本発明は、このような従来の課題を解決するものであり、室内の加湿制御に対する湿度応答性から加湿量の制御を制限することができる空気調和機を提供することを目的としている。
【００２４】
また、従来の空気調和機では、浴室の加湿空気を有効活用することが要求されている。
【００２５】
本発明は、このような従来の課題を解決するものであり、浴室の換気により排出される加湿空気を居室の加湿用に利用することができる空気調和機を提供することを目的としている。
【００２６】
また、従来の空気調和機では、室内を正圧から負圧となるように吹出風量を吸込風量より小さくすることで、所定以上の高湿度となった際に、より高速に室内を最適な湿度に制御することが要求されている。
【００２７】
本発明は、このような従来の課題を解決するものであり、吹出風量を吸込風量より小さくなるように制御して、室内の加湿量の行き過ぎ制御をより高速に復帰させることができる空気調和機を提供することを目的としている。
【００２８】
また、従来の空気調和機では、室内の湿度が所定より低い低湿度となった際に、より高速に室内を最適な湿度に制御することが要求されている。
【００２９】
本発明は、このような従来の課題を解決するものであり、浴室内の水分を利用してより高速に室内を最適な湿度に制御することができる空気調和機を提供することを目的としている。
【課題を解決するための手段】
【００３０】
本発明の空気調和機は上記課題を解決するために、吹出ユニットに加湿ユニットを設ける構成としたものである。
【００３１】
この手段により室内の湿度は、ダクト長やダクトの曲がりそして分岐数による風路の抵抗を考慮することなく、安定した加湿制御をすることができる空気調和機が得られる。
【００３２】
また、吸込ユニットに設けた湿度センサーにより室内の湿度を読み取る構成としたものである。
【００３３】
この手段により、検出した湿度とリモコンで設定された湿度を比較することにより、加湿ユニットの加湿量を制御して室内の湿度を一定にすることができる空気調和機が得られる。
【００３４】
さらに、吹出ユニットにダンパＢＯＸ、外気取込口をダクトを介して接続し、外気取込口に設けた室外湿度センサーにより加湿ユニット及びダンパＢＯＸを制御する構成としたものである。
【００３５】
この手段により室外の加湿空気を活用することができる空気調和機が得られる。
【００３６】
また、室内に空気攪拌手段を設ける構成としたものである。
【００３７】
この手段により、加湿ユニットの動作に連動して空気攪拌手段が動作することで、室内の湿度バラツキを均一にすることができる空気調和機が得られる。
【００３８】
さらに、吹出ユニットに人感センサーを設ける構成としたものである。
【００３９】
この手段により、室内に在室している人を検知することにより、室内の加湿量を制御することができる空気調和機が得られる。
【００４０】
また、室内の人を検知する人感検知手段を設けて、人の有無により外気導入量を調整する外気導入量調整手段を備える構成としたものである。
【００４１】
この手段により、室内の加湿を行うと同時に外気導入量を確保することで、局所的なシックハウスなどを防止することができる空気調和機が得られる。
【００４２】
さらに、吹出ユニットの吹出風量を吸込ユニットの吸込風量より大きくなるように外気導入量と吸込風量の比率を制御する比率制御手段を備える構成としたものである。
【００４３】
この手段により、居室のガラリや窓の隙間風などによる加湿制御の外乱となる要因を減らし、より安定した加湿制御を行なうことができる空気調和機が得られる。
【００４４】
また、吸込ユニットに設けた湿度検出手段により検出した室内の湿度と、外気取込口に備えた外気湿度検出手段により検出した外気湿度により加湿量を調整する加湿量調整手段を備える構成としたものである。
【００４５】
この手段により、室外の加湿空気を有効に活用しながら、安定した加湿制御を行うことができ、省エネも図ることができる空気調和機が得られる。
【００４６】
さらに、加湿器による加湿量を室内の湿度の変化量に応じて制限する加湿量調整制限手段を備える構成としたものである。
【００４７】
この手段により、室内の加湿制御に対する湿度応答性から加湿量の制御を制限することができる空気調和機が得られる。
【００４８】
また、室内ユニットは浴室の加湿空気を搬送する浴室加湿空気搬送手段とダクトにより接続され、浴室加湿空気搬送手段に浴室湿度センサーを設ける構成としたものである。
【００４９】
この手段により、浴室の加湿空気を活用することができる空気調和機が得られる。
【００５０】
さらに、室内の湿度が所定値以上になった場合、吹出ユニットの吹出風量を吸込ユニットの吸込風量より小さくするように制御する構成としたものである。
【００５１】
この手段により、室内の加湿量の行き過ぎ制御をより高速に復帰させることができる空気調和機が得られる。
【００５２】
また、室内の湿度が所定値より低い場合、分岐制御手段は室内への搬送を優先して風路を切り換えるように制御する構成としたものである。
【００５３】
この手段により、浴室内の水分を利用してより高速に室内を最適な湿度に制御することができる空気調和機が得られる。
【発明の効果】
【００５４】
本発明によれば、室外機と、前記室外機と冷媒配管により接続されている熱交換器、送風ファンを備えた室内機と、前記室内機と送風ダクトを介して居室に吹出す吹出ユニットを接続し、前記室内機と吸込ダクトを介して居室の空気を吸込む吸込ユニットを接続し、前記吹出ユニットに居室を加湿する加湿器を備える構成とすることで、ダクト長やダクトの曲がりそして分岐数による風路の抵抗を考慮することなく、安定した加湿制御をすることができるという効果のある空気調和機を提供できる。
【００５５】
また、吸込ユニットに設けた湿度検出手段により加湿量を調整する構成とすることで、室内の湿度を一定にすることができるという効果のある空気調和機を提供できる。
【００５６】
さらに、吹出ユニットは屋外に接続された外気取込口と外気導入ダクトで接続し、前記外気取込口に備えた外気湿度検出手段により外気湿度が所定値以上である場合、外気を導入する構成とすることで、室外の加湿空気を活用することができるという効果のある空気調和機を提供できる。
【００５７】
また、室内の空気を攪拌する空気攪拌手段を備え、前記空気攪拌手段は室内の加湿空気を均一にすべく室内機の運転に連動して動作する構成とすることで、室内の湿度バラツキを均一にすることができるという効果のある空気調和機を提供できる。
【００５８】
さらに、室内の人を検知する人感検知手段を備え、人の有無により加湿量を調整する加湿量調整手段を備える構成とすることで、室内の加湿量を制御することができるという効果のある空気調和機を提供できる。
【００５９】
また、室内の人を検知する人感検知手段を設けて、人の有無により外気導入量を調整する外気導入量調整手段を備える構成とすることで、室内の加湿を行うと同時に外気導入量を確保し、局所的なシックハウスなどを防止することができる空気調和機を提供できる。
【００６０】
さらに、吹出ユニットの吹出風量を吸込ユニットの吸込風量より大きくなるように外気導入量と吸込風量の比率を制御する比率制御手段を備える構成とすることで、居室のガラリや窓の隙間風などによる加湿制御の外乱となる要因を減らし、より安定した加湿制御を行なうことができるという効果のある空気調和機を提供できる。
【００６１】
また、吸込ユニットに設けた湿度検出手段により検出した室内の湿度と、外気取込口に備えた外気湿度検出手段により検出した外気湿度により加湿量を調整する加湿量調整手段を備える構成とすることで、室外の加湿空気を有効に活用しながら、安定した加湿制御を行うことができ、省エネも図ることができるという効果のある空気調和機を提供できる。
【００６２】
さらに、加湿器による加湿量を室内の湿度の変化量に応じて制限する加湿量調整制限手段を備える構成とすることで、室内の加湿制御に対する湿度応答性から加湿量の制御を制限することができるという効果のある空気調和機を提供できる。
【００６３】
また、吹出ユニットは搬送ダクトにより浴室加湿空気搬送手段と接続し、浴室加湿空気搬送手段に設けた浴室湿度センサーにより浴室の湿度が所定値以上である場合、浴室の加湿空気を居室に搬送する構成とすることで、浴室の加湿空気を活用することができるという効果のある空気調和機を提供できる。
【００６４】
さらに、室内の湿度が所定値以上になった場合、吹出ユニットの吹出風量を吸込ユニットの吸込風量より小さくするように制御するような構成とすることで、室内の加湿量の行き過ぎ制御をより高速に復帰させることができるという効果のある空気調和機を提供できる。
【００６５】
また、室内の湿度が所定値より低い場合、分岐制御手段は室内への搬送を優先して風路を切り換えるように制御するような構成とすることで、浴室内の水分を利用してより高速に室内を最適な湿度に制御することができるという効果のある空気調和機を提供できる。
【発明を実施するための最良の形態】
【００６６】
本発明の請求項１記載の発明は、室外機と、前記室外機と冷媒配管により接続されている熱交換器、送風ファンを備えた室内機と、前記室内機と送風ダクトを介して居室に吹出す吹出ユニットを接続し、前記室内機と吸込ダクトを介して居室の空気を吸込む吸込ユニットを接続し、前記吹出ユニットに居室を加湿する加湿器を備える構成としたものであり、ダクト長やダクトの曲がりそして分岐数による風路の抵抗を考慮することなく、安定した加湿制御をすることができるという作用を有する。
【００６７】
また、吸込ユニットに設けた湿度検出手段により加湿量を調整する構成としたものであり、室内の湿度を一定にすることができるという作用を有する。
【００６８】
さらに、吹出ユニットは屋外に接続された外気取込口と外気導入ダクトで接続し、前記外気取込口に備えた外気湿度検出手段により外気湿度が所定値以上である場合、外気を導入する構成としたものであり、室外の加湿空気を活用することができるという作用を有する。
【００６９】
また、室内の空気を攪拌する空気攪拌手段を備え、前記空気攪拌手段は室内の加湿空気を均一にすべく室内機の運転に連動して動作する構成としたものであり、室内の湿度バラツキを均一にすることができるという作用を有する。
【００７０】
さらに、室内の人を検知する人感検知手段を備え、人の有無により加湿量を調整する加湿量調整手段を備える構成としたものであり、室内の加湿量を制御することができるという作用を有する。
【００７１】
また、室内の人を検知する人感検知手段を設けて、人の有無により外気導入量を調整する外気導入量調整手段を備える構成としたものであり、室内の加湿を行うと同時に外気導入量を確保し、局所的なシックハウスなどを防止することができるという作用を有する。
【００７２】
さらに、吹出ユニットの吹出風量を吸込ユニットの吸込風量より大きくなるように外気導入量と吸込風量の比率を制御する比率制御手段を備える構成としたものであり、居室内を正圧とすることで居室のガラリや窓の隙間風などによる加湿制御の外乱となる要因を減らし、より安定した加湿制御を行なうことができるという作用を有する。
【００７３】
また、吸込ユニットに設けた湿度検出手段により検出した室内の湿度と、外気取込口に備えた外気湿度検出手段により検出した外気湿度により加湿量を調整する加湿量調整手段を備える構成としたものであり、室外の加湿空気を有効に活用しながら、安定した加湿制御を行うことができ、省エネも図ることができるという作用を有する。
【００７４】
さらに、加湿器による加湿量を室内の湿度の変化量に応じて制限する加湿量調整制限手段を備える構成としたものであり、室内の加湿制御に対する湿度応答性から加湿量の制御を制限することができるという作用を有する。
【００７５】
また、吹出ユニットは搬送ダクトにより浴室加湿空気搬送手段と接続し、浴室加湿空気搬送手段に設けた浴室湿度センサーにより浴室の湿度が所定値以上である場合、浴室の加湿空気を居室に搬送する構成としたものであり、浴室の加湿空気を活用することができるという作用を有する。
【００７６】
さらに、室内の湿度が所定値以上になった場合、吹出ユニットの吹出風量を吸込ユニットの吸込風量より小さくするように制御するような構成としたものであり、室内の加湿量の行き過ぎ制御をより高速に復帰させることができるという作用を有する。
【００７７】
また、室内の湿度が所定値より低い場合、分岐制御手段は室内への搬送を優先して風路を切り換えるように制御するような構成としたものであり、浴室内の水分を利用してより高速に室内を最適な湿度に制御することができるという作用を有する。
【００７８】
以下、本発明の実施の形態について図面を参照しながら説明する。
【００７９】
（実施の形態１）
従来と同一部分は同一番号を符し、詳細な説明は省略する。
【００８０】
図１に示すように、室外機１０１は、冷媒配管１０２により室内機１０３に接続され、室内機１０３内部には熱交換器１０４と送風ファン１０６を備え、送風ファン１０６は、モータ・加湿制御手段１により制御され、前記室内機１０３と吹出ユニット１０９は、送風ダクト１０７で接続し、吹出ユニット１０９内部には加湿器ユニット２を設け、加湿器ユニット２には給水弁３を設け、加湿制御接続電線４により、室内機１０３のモータ・加湿制御手段１に接続されており、室内１１２に吸込ユニット１０８を設け、室内１１２の空気は、吸込ユニット１０８から吸気され吸込ダクト１１０を介して室内機１０３に送られ循環される構成となっている。
【００８１】
また、モータ・加湿制御手段１は、加湿器ユニット２に送風する送風ファン１０６の起動停止のオンオフ制御を行ない、さらに加湿制御接続電線４を介して給水弁３の開閉を行なうことで加湿制御のオンオフを行なう。
【００８２】
上記構成において、室内機１０３に備えられた熱交換器１０４を通過した暖風は、送風ファン１０６により送風ダクト１０７を通り、吹出ユニット１０９に送られ、吹出ユニット１０９内部に設けた、加湿器ユニット２を暖風が通過すると加湿され、その空気が室内１１２に吹出され室内１１２の加湿を安定的に行うことができる。また、加湿制御の停止については、モータ・加湿制御手段１が送風ファン１０６を停止させると共に、加湿制御接続電線４を介し給水弁３を閉とすることで行なうこととなる。
【００８３】
なお、モータ・加湿制御手段１は、送風ファン１０６の起動停止を行なうソフトがプログラムされたマイコンと、送風ファン１０６を駆動するためのトランジスターあるいはＦＥＴと、加湿制御接続電線４を通して温水弁３を駆動するためのリレーあるいはトランジスターまたはＦＥＴを設けたものである。
【００８４】
なお、加湿ユニット２は例えば気化式や滴下気化式や遠心式や噴霧式などがある。
【００８５】
また、給水弁３は例えば電磁弁や熱動弁や膨張弁などがある。
【００８６】
さらに、送風ファン１０６はオンオフ制御を行なう単純なモータを利用する構成としたが、インバータ制御とＤＣモータを使用する構成として風量制御を行なう構成としてもよい。
【００８７】
（実施の形態２）
従来、実施の形態１と同一部分は同一番号を符し、詳細な説明は省略する。
【００８８】
図２に示すように、吸込ユニット１０８に湿度センサー５を設け、湿度センサー５はモータ・加湿制御手段１に接続され、さらにリモコン１１１と接続されている構成とする。
【００８９】
上記構成により、リモコン１１１で設定した湿度設定値をモータ・加湿制御手段１のマイコン（図示せず）内部のＲＯＭ（図示せず）に記憶し、吸込ユニット１０８に設けた湿度センサー５の居室湿度比較し、湿度設定値が高ければモータ・加湿制御手段１は、給水弁３を開にし、室内１１２の湿度を上昇するようにし、湿度設定値が低ければモータ・加湿制御手段１は、給水弁３を閉にし、室内１１２の加湿量が増加することを中止することにより、リモコン１１１の設定に応じた室内１１２の湿度を一定にすることができる。
【００９０】
（実施の形態３）
従来例、実施の形態１及び２と同一部分は同一番号を符し、詳細な説明は省略する。
【００９１】
図３に示すように、吹出ユニット１０９は送風ダクト１０７を介して室内機１０３と接続し、さらに吹出ユニット１０９は、ダンパーＢＯＸ６とダクトにより接続され、ダンパーＢＯＸ６は屋外に設けた外気取込口７と外気導入ダクト８により接続され、外気取込口７近くに外気湿度センサー９を設け、モータ・加湿制御手段１に接続されており、前記ダンパーＢＯＸ６は、モータ・加湿制御手段１と接続されている構成とする。
【００９２】
前記構成により、モータ・加湿制御手段１内部のマイコン（図示せず）は、湿度４０％との所定値を持ち、定期的にダンパーＢＯＸ６を開にし、外気湿度センサー９により、屋外の湿度をモータ・加湿制御手段１内部のマイコン（図示せず）が検出し、室外湿度が４０％以上であれば、給水弁３を閉にし、ダンパーＢＯＸ６を開にして、外気を室内１１２に供給し、室内１１２の湿度を上昇させることができる。
【００９３】
（実施の形態４）
従来例、実施の形態１〜３と同一部分は同一番号を符し、詳細な説明は省略する。
【００９４】
図４に示すように、室内１１２に空気攪拌手段１０を設けモータ・加湿制御手段１と接続されている構成とする。
【００９５】
上記構成により、モータ・加湿制御手段１は、室内１１２の湿度を上昇するために加湿器ユニット２に水を供給するための給水弁３を開すると同時に空気攪拌手段１０を運転することにより室内１１２の湿度のバラツキを均一にすることができる。
【００９６】
なお、空気攪拌手段１０は、例えばシーリングファンなどがある。
【００９７】
（実施の形態５）
従来例、実施の形態１〜４と同一部分は同一番号を符し、詳細な説明は省略する。
図５に示すように、吹出ユニット１０９に人感センサー１１を設け、人感センサー１１はモータ・加湿制御手段１に接続されている構成とする。
【００９８】
また、人感センサー１１は、焦電型赤外線センサーにより構成している。
【００９９】
上記構成により、モータ・加湿制御手段１内のマイコン（図示せず）は、人感センサー１１により室内１１２の在室人数を検出し、加湿器ユニット２に供給する水量を給水弁３により制御することにより在室人数に応じた加湿量を制御することができる。
【０１００】
（実施の形態６）
従来例、実施の形態１〜５と同一部分は同一番号を符し、詳細な説明は省略する。
【０１０１】
図６に示すように、人感センサー１１は外気導入量を調整する外気導入量調整手段１２に接続されている構成としている。
【０１０２】
次に外気導入量調整手段１２の制御フローチャートについて、図７を参照しながら調整方法を説明する。
【０１０３】
図に示すように、外気導入量調整手段１２は人感センサー１１により検出した人数を入力する。入力した室内１１２に在室している人数から必要となる外気導入量を演算する。すなわち、外気導入量は一人あたりの必要外気導入量を２５ｍ↑３／ｈとし、人数を掛け合わせることで演算する。演算した必要外気導入量と現在の外気導入量から偏差を演算し、比例積分制御器に入力してダンパーＢＯＸ６の開度指令値を算出する。
【０１０４】
上記構成により、室内１１２の加湿を行うと同時に在室人数に応じた外気導入量を確保し、局所的なシックハウスや人いきれなどを防止することとなる。
【０１０５】
なお、必要外気導入量は一人あたり２５ｍ↑３／ｈとしたが、それ以上の外気導入量であってもよい。
【０１０６】
（実施の形態７）
従来例、実施の形態１と同一部分は同一番号を符し、詳細な説明は省略する。
【０１０７】
図８に示すように、吹出ユニット１０９の吹出風量を吸込ユニット１０８の吸込風量より大きくなるように外気導入量と吸込風量の比率を制御する比率制御手段１３を備えている。
【０１０８】
次に比率制御手段１３の制御フローチャートについて、図９を参照しながら比率制御方法を説明する。
【０１０９】
図に示すように、比率制御手段１３は吹出ユニット１０９の吹出風量と吸込ユニット１０８の吸込風量を入力する。入力した吹出風量と吸込風量の偏差を演算し、吹出風量が吸込風量より大きい場合は処理を抜ける。吹出風量が吸込風量より小さい場合、その時の偏差を比例積分制御器に入力し、送風ファン１０６の回転数を上げるように制御する。送風ファン１０６の回転数指令値が所定の上限値を上回っていた場合は上限値で固定し、ダンパーＢＯＸ６の開度を上げるように制御する。
【０１１０】
上記構成により、室内１１２は正圧とすることができ、ガラリや窓の隙間風などによる加湿制御の外乱となる要因を減らし、より安定した加湿制御を行なうことができることとなる。
【０１１１】
（実施の形態８）
従来例、実施の形態１、３と同一部分は同一番号を符し、詳細な説明は省略する。
【０１１２】
図１０に示すように、吹出ユニット１０９は送風ダクト１０７を介して室内機１０３と接続し、さらに吹出ユニット１０９は、ダンパーＢＯＸ６とダクトにより接続され、ダンパーＢＯＸ６は屋外に設けた外気取込口７と外気導入ダクト８により接続され、外気取込口７近くに外気湿度センサー９を設け、モータ・加湿制御手段１に接続されており、前記ダンパーＢＯＸ６は、モータ・加湿制御手段１と接続されている構成とする。
【０１１３】
前記構成により、モータ・加湿制御手段１のマイコン（図示せず）は、吸込ユニット１０８に設けた湿度センサー５により居室湿度を検出し、その後、モータ・加湿制御手段１のマイコン（図示せず）は、ダンパーＢＯＸ６を開にし、外気湿度センサー９により、屋外湿度を検出し、居室湿度と屋外湿度を比較し、屋外湿度が高いときは、モータ・加湿制御手段１のマイコン（図示せず）は、加湿器ユニット２に給水する給水弁３を閉にして、ダンパーＢＯＸ６を開し、外気取込口７から外気導入ダクト８を介し室内１１２に湿度の高い外気を供給し、また、居室湿度と屋外湿度を比較し、居室湿度が高いときは、モータ・加湿制御手段１のマイコン（図示せず）は、ダンパーＢＯＸ６を閉にし、加湿器ユニット２に給水する給水弁３を開にし、室内１１２の湿度を上昇させることができ省エネ効果が得られる。
【０１１４】
（実施の形態９）
従来例、実施の形態１と同一部分は同一番号を符し、詳細な説明は省略する。
【０１１５】
図１１に示すように、空気調和機には加湿器ユニット２による加湿量を室内１１２の湿度の変化量に応じて制限する加湿量調整制限手段１４を備えている。
【０１１６】
次に加湿量調整制御手段１４の制御フローチャートについて図１２を参照しながら説明する。
【０１１７】
図に示すように、加湿量調整制御手段１４は、室内１１２の湿度を入力する。入力した湿度は記憶部１４ａにて記憶し、時系列データとして処理する。時系列データとして１分間隔で取得した室内１１２の湿度の移動平均を演算し、最古データは新規データが入力された時に上書きする。演算した室内１１２の湿度の移動平均値は平均値記憶部１４ｂに記憶し、時系列に記憶した移動平均値より湿度変化の傾きを演算する。演算した湿度変化の傾き情報が所定値以上となった際には給水弁３の開度指令値を一時刻前の値を使用する。
【０１１８】
上記構成により、室内１１２の加湿制御に対する湿度応答性から加湿量の制御を制限し、過剰な加湿を防止し、結露などの発生を防止することとなる。
【０１１９】
なお、時系列データは１分間隔としたが、その他の時間間隔であってもよい。
【０１２０】
また、移動平均を演算して、移動平均値にて湿度変化の傾きを演算したが、瞬時値から湿度変化を演算してもよい。
【０１２１】
（実施の形態１０）
従来例、実施の形態１と同一部分は同一番号を符し、詳細な説明は省略する。
【０１２２】
図１３に示すように、吹出ユニット１０９は送風ダクト１０７を介して室内機１０３と接続し、さらに吹出ユニット１０９は、浴室加湿空気搬送手段１５と搬送ダクト１６により接続され、浴室加湿空気搬送手段１５に浴室湿度センサー１７を設け、モータ・加湿制御手段１に接続されており、前記浴室湿度センサー１７は、モータ・加湿制御手段１と接続されている構成とする。
【０１２３】
また、浴室加湿空気搬送手段１５は、浴室空気搬送ファンとモータにより構成している。
【０１２４】
前記構成により、モータ・加湿制御手段１内部のマイコン（図示せず）は、湿度４０％との所定値を持ち、浴室湿度センサー１７により、浴室の湿度をモータ・加湿制御手段１内部のマイコン（図示せず）が検出し、室外湿度が４０％以上であれば、給水弁３を閉にし、浴室加湿空気搬送手段１５が動作し、浴室の加湿空気を室内１１２に供給し、室内１１２の湿度を上昇させることができる。
【０１２５】
（実施の形態１１）
従来例、実施の形態１と同一部分は同一番号を符し、詳細な説明は省略する。
【０１２６】
図１４に示すように、空気調和機には室内１１２の湿度が所定値以上になった場合、吹出ユニットの吹出風量を吸込ユニットの吸込風量より小さくするように制御する吸込風量制御手段１８を備えている。
【０１２７】
次に、吸込風量制御手段１８の制御フローチャートについて図１５を参照しながら説明する。
【０１２８】
図に示すように、吸込風量制御手段１８は、吹出ユニット１０９の吹出風量と吸込ユニット１０８の吸込風量を入力する。入力した吹出風量と吸込風量の偏差を演算し、吹出風量が吸込風量より小さい場合は処理を抜ける。吹出風量が吸込風量より大きい場合、その時の偏差を比例積分制御器に入力し、送風ファン１０６の回転数を下げるように制御する。送風ファン１０６の回転数指令値が所定の下限値、すなわち定格回転数の１０％を下回っていた場合は下限値で固定し、ダンパーＢＯＸ６の開度を下げるように制御する。
【０１２９】
上記構成により、室内１１２の加湿量の行き過ぎ制御をより高速に復帰させることができる。
【０１３０】
なお、回転数の所定の下限値を定格回転数の１０％としたが、送風ファン１０６の風量制御を行なう精度を保持できるその他の回転数であってもよい。
【０１３１】
（実施の形態１２）
従来例、実施の形態１と同一部分は同一番号を符し、詳細な説明は省略する。
【０１３２】
図１６に示すように、空気調和機は室内１１２の湿度が所定値、例えば相対湿度４０％より低い場合、浴室内からの水分を室内１１２への搬送を優先して風路を切り換えるように制御する分岐制御手段１９を備える構成としている。
【０１３３】
次に分岐制御手段１９の制御フローチャートについて図１７を参照しながら説明する。
【０１３４】
図に示すように、分岐制御手段１９は、室内１１２の湿度を入力する。入力した湿度は記憶部１４ａにて記憶し、時系列データとして処理する。時系列データとして１分間隔で取得した室内１１２の湿度の移動平均を演算し、最古データは新規データが入力された時に上書きする。演算した室内１１２の湿度の移動平均値は平均値記憶部１４ｂに記憶し、時系列に記憶した移動平均値と湿度閾値と比較して、閾値より平均値が高い場合は処理を抜ける。所定の閾値より平均値が低い場合は、風路を切り換えるように制御する。
【０１３５】
上記構成により、浴室内の水分を利用してより高速に室内１１２を最適な湿度に制御することができる。
【０１３６】
なお、時系列データは１分間隔としたが、その他の時間間隔であってもよい。
【０１３７】
また、移動平均を演算して、移動平均値にて湿度の閾値判定を行なうとしたが、瞬時値から湿度の閾値判定をしてもよい。
【産業上の利用可能性】
【０１３８】
送風ダクトや吸込ダクトにて分岐し、複数の室内を同時に冷暖房する空気調和機など建物全体を空調するシステムにも適用できる。
【図面の簡単な説明】
【０１３９】
【図１】本発明の実施の形態１の構成図
【図２】本発明の実施の形態２の構成図
【図３】本発明の実施の形態３の構成図
【図４】本発明の実施の形態４の構成図
【図５】本発明の実施の形態５の構成図
【図６】本発明の実施の形態６の構成図
【図７】同外気導入量調整手段のフローチャート
【図８】本発明の実施の形態７の構成図
【図９】同比率制御手段の制御フローチャート
【図１０】本発明の実施の形態８の構成図
【図１１】本発明の実施の形態９の構成図
【図１２】同加湿量調整制御手段の制御フローチャート
【図１３】本発明の実施の形態１０の構成図
【図１４】本発明の実施の形態１１の構成図
【図１５】同吸込風量制御手段の制御フローチャート
【図１６】本発明の実施の形態１２の構成図
【図１７】同分岐制御手段の制御フローチャート
【図１８】従来の空気調和機の構成図
【図１９】同構成図
【符号の説明】
【０１４０】
１      モータ・加湿制御手段
２      加湿器ユニット
３      給水弁
４      加湿制御接続電線
５      湿度センサー
６      ダンパーＢＯＸ
７      外気取込口
８      外気導入ダクト
９      外気湿度センサー
１０    空気攪拌手段
１１    人感センサー
１２    外気導入量調整手段
１３    比率制御手段
１４    加湿量調整制限手段
１５    浴室加湿空気搬送手段
１６    搬送ダクト
１７    浴室湿度センサー
１８    吸込風量制御手段
１９    分岐制御手段
１０１  室外機
１０２  冷媒配管
１０３  室内機
１０４  熱交換器
１０６  送風ファン
１０７  送風ダクト
１０８  吸込ユニット
１０９  吹出ユニット
１１０  吸込ダクト
１１１  リモコン
１１２  室内
【図１】
2007078250.tif 000003
【図２】
2007078250.tif 000004
【図３】
2007078250.tif 000005
【図４】
2007078250.tif 000006
【図５】
2007078250.tif 000007
【図６】
2007078250.tif 000008
【図７】
2007078250.tif 000009
【図８】
2007078250.tif 000010
【図９】
2007078250.tif 000011
【図１０】
2007078250.tif 000012
【図１１】
2007078250.tif 000013
【図１２】
2007078250.tif 000014
【図１３】
2007078250.tif 000015
【図１４】
2007078250.tif 000016
【図１５】
2007078250.tif 000017
【図１６】
2007078250.tif 000018
【図１７】
2007078250.tif 000019
【図１８】
2007078250.tif 000020
【図１９】
2007078250.tif 000021